(57)【要約】【課題】伐採した木や枝の伐倒方向を制御できる器具を提供する。【解決手段】伐倒方向制御器具１が、ロープ２０を取り付けたフック１０と、フック１０を着脱可能に収納できる収納筒４０を有する竿３０とを備える。これにより、伐採対象の木にロープ２０を容易に引っ掛けることができるので、伐採した木や枝の伐倒方向を制御可能となる。フック１０が、回転可能に取り付けられた止め金具１１を有し、ロープ２０が止め金具１１の後端に取り付けられる。フック１０の湾曲部の内側および止め金具１１のフック１０側の少なくとも一部を波型にする。竿３０の先端部にロープ２０を保持するガイド４１を備える。【選択図】図１
2019176763.tif 000002
【特許請求の範囲】
【請求項１】
伐採対象の木にロープを取り付けるための伐倒方向制御器具であって、
先端が曲げられた湾曲部を有するフックと、
前記フックに取り付けられたロープと、
前記フックを着脱可能に取り付ける取付部を有する竿と、
を備えることを特徴とする伐倒方向制御器具。
【請求項２】
前記フックは、回転可能に取り付けられた止め金具を有し、
前記ロープは前記止め金具に取り付けられ、前記ロープを引っ張ったときに、前記止め金具が前記フックの湾曲部の方向へ回転することを特徴とする請求項１に記載の伐倒方向制御器具。
【請求項３】
前記フックの湾曲部の内側および前記止め金具のフック側の少なくとも一部が波型であることを特徴とする請求項２に記載の伐倒方向制御器具。
【請求項４】
前記竿は、前記ロープを保持するガイドを有することを特徴とする請求項１乃至３のいずれかに記載の伐倒方向制御器具。
【発明の詳細な説明】
【技術分野】
【０００１】
本発明は、伐採した木の伐倒方向を制御する器具に関する。
【背景技術】
【０００２】
架空ケーブル付近の木が成長し、架空ケーブルに接触する場合がある。架空ケーブルに接触している木や枝を放置したままにすると、ケーブルの断線などの事故が発生するおそれがある。また、リスなどのげっ歯類が木から架空ケーブルに渡り、ケーブルをかじる被害が発生するおそれもある。そのため、架空ケーブル近辺の木や架空ケーブルに接触している木や枝を伐採する必要がある（非特許文献１参照）。
【０００３】
高所の枝の伐採には、一般的な園芸用の高枝切り鋏、長尺棒の先端にのこぎりを取り付けた器具などを用いることができる。
【先行技術文献】
【非特許文献】
【０００４】
【非特許文献１】「通信アクセス設備における生物被害事例と対策」、ＮＴＴ技術ジャーナル、日本電信電話株式会社、２０１５年１０月、第２７巻、第１０号、pp. 67-70
【発明の概要】
【発明が解決しようとする課題】
【０００５】
木や枝を伐採する際、近くに民家等が存在する場所では、伐採した木や枝の伐倒方向のコントロールが必要である。このような場合、伐採対象の木に梯子をかけて上り、木の上部にロープを結び付けておき、木を切断する時、ロープを引っ張ることで木の伐倒方向をコントロールしていた。
【０００６】
しかしながら、梯子等を作業現場に持っていくことは大変なことが多く、さらに、木に登りロープを結び付ける作業にも危険が伴うという問題があった。
【０００７】
本発明は、上記に鑑みてなされたものであり、伐採した木や枝の伐倒方向を制御できる器具を提供することを目的とする。
【課題を解決するための手段】
【０００８】
本発明に係る伐倒方向制御器具は、伐採対象の木にロープを取り付けるための伐倒方向制御器具であって、先端が曲げられた湾曲部を有するフックと、前記フックに取り付けられたロープと、前記フックを着脱可能に取り付ける取付部を有する竿と、を備えることを特徴とする。
【０００９】
上記伐倒方向制御器具において、前記フックは、回転可能に取り付けられた止め金具を有し、前記ロープは前記止め金具に取り付けられ、前記ロープを引っ張ったときに、前記止め金具が前記フックの湾曲部の方向へ回転することを特徴とする。
【００１０】
上記伐倒方向制御器具において、前記フックの湾曲部の内側および前記止め金具のフック側の少なくとも一部が波型であることを特徴とする。
【００１１】
上記伐倒方向制御器具において、前記竿は、前記ロープを保持するガイドを有することを特徴とする。
【発明の効果】
【００１２】
本発明によれば、伐採した木や枝の伐倒方向を制御できる器具を提供することができる。
【図面の簡単な説明】
【００１３】
【図１】第１の実施形態の伐倒方向制御器具の構成を示す概略図である。
【図２Ａ】伐倒方向制御器具を木に引っ掛ける様子を示す図である。
【図２Ｂ】木に引っ掛けたロープを引っ張る様子を示す図である。
【図３】第１の実施形態の変形例の伐倒方向制御器具の構成を示す概略図である。
【図４Ａ】ロック解除時の第２の実施形態の伐倒方向制御器具の構成を示す概略図である。
【図４Ｂ】ロック時の第２の実施形態のフックの様子を示す概略図である。
【図５】第２の実施形態のフックの変形例の構成を示す概略図である。
【発明を実施するための形態】
【００１４】
以下、本発明の実施の形態について図面を用いて説明する。
【００１５】
［第１の実施形態］
図１は、第１の実施形態の伐倒方向制御器具１の構成を示す概略図である。
【００１６】
伐倒方向制御器具１は、伐採する木や枝にロープを引っ掛け、ロープを引っ張ることで、伐採された木や枝の伐倒方向をコントロールするための器具である。
【００１７】
図１の伐倒方向制御器具１は、着脱可能なフック１０、フック１０に取り付けたロープ２０、地上から木の高さ程度までの長さの竿３０、及びフック１０を差し込むための収納筒４０を備える。
【００１８】
フック１０は、伐採される木に引っ掛ける金属部品であり、湾曲した先端と収納筒４０に差し込まれる直線部分で構成される。なお、フック１０の先端に釣り針のようなかえしを設け、引っ掛けた木からフック１０が外れにくくしてもよい。また、大きさの異なる複数種類のフック１０を用意しておき、木や枝の大きさに応じて使い分けてもよい。
【００１９】
ロープ２０は、フック１０の直線部分の、フック１０を収納筒４０に差し込むのに邪魔にならない位置に取り付けられる。フック１０を木に引っ掛けるときは木の根元あたりで竿３０を操作し、フック１０を木に引っ掛けた後は、木から少し離れた位置でロープ２０を引っ張るので、ロープ２０の全長を竿３０の全長よりも長くしておく。
【００２０】
竿３０は、先端に取り付けたフック１０を木に引っ掛けるための長尺の棒である。竿３０は、振り出し式でも、差し込み式でもよく、地上から木の高さ程度まで届く長さ（例えば、全長５〜６ｍ）があればよい。
【００２１】
収納筒４０は、竿３０の先端に取り付けられた、フック１０を差し込むための筒状の収納部である。収納筒４０は、フック１０を木に引っ掛けるまでの間、フック１０を保持できればよい。収納筒４０の内径は、フック１０の直線部分の径よりも大きければよい。
【００２２】
次に、伐倒方向制御器具１の使用方法について説明する。
【００２３】
まず、作業者は、フック１０を収納筒４０に差し込み、竿３０を必要な長さに調節する。
【００２４】
図２Ａに示すように、作業者は、竿３０の先端に取り付けたフック１０を伐採対象の木の上部（切り落とされる側）に引っ掛ける。フック１０の先端が木に突き刺さる必要はない。
【００２５】
作業者は、フック１０を所望の位置に引っ掛けた後、竿３０を引いてフック１０を収納筒４０から取り外す。このとき、フック１０は木に引っ掛かり、フック１０に取り付けたロープ２０が垂れ下がっている状態である。この後の作業で竿３０は不要であるので片付けてもよい。
【００２６】
作業者は、ある程度木を切ったら、図２Ｂに示すように、木から少し離れた位置からロープ２０を引っ張る。作業者がロープ２０を引っ張ると、切断された木はロープ２０を引っ張る方向に倒れる。
【００２７】
次に、第１の実施形態の変形例の伐倒方向制御器具１について説明する。
【００２８】
図３は、第１の実施形態の変形例の伐倒方向制御器具１の構成を示す概略図である。図３の伐倒方向制御器具１は、図１の伐倒方向制御器具１に対して、竿３０の先端部にロープを通すガイド４１を備えた。
【００２９】
フック１０が木に引っ掛からないで竿３０から外れて落下し、作業者を直撃する危険性がある。そこで、ロープ２０をガイド４１に通しておき、作業者は、ロープ２０を持ちながら竿３０を操作することで、万が一、フック１０が外れてしまった場合でも、ガイド４１がロープ２０を保持するので、フック１０の落下を防止できる。
【００３０】
［第２の実施形態］
第２の実施形態の伐倒方向制御器具１は、フック１０に木を挟むロック機構を備えた。
【００３１】
図４Ａおよび図４Ｂは、第２の実施形態の伐倒方向制御器具１の構成を示す概略図である。図４Ａはロック解除時の様子を示し、図４Ｂはロック時の様子を示す。
【００３２】
第２の実施形態の伐倒方向制御器具１は、第１の実施形態と同様に、フック１０、ロープ２０、竿３０、収納筒４０、及びガイド４１を備える。
【００３３】
フック１０には、止め金具１１が、支点１２を中心に、所定の範囲で回転可能に取り付けられている。図４Ｂでは、止め金具１１がフック１０の先端に接触した状態を図示しているが、止め金具１１は、フック１０と重なる位置まで回転可能であってもよいし、フック１０と接触しない位置まで回転可能であってもよい。
【００３４】
ロープ２０は、止め金具１１の後端に取り付けられる。
【００３５】
フック１０は、止め金具１１より下の位置に、ロープ２０を通すためのガイド１３を備える。ロープ２０をガイド１３に通すことにより、ロープ２０を引っ張ったとき、止め金具１１にはガイド１３の方向に力が加えられるので、止め金具１１を閉じた状態に回転できる。ガイド１３より下の直線部分が収納筒４０に差し込まれる。ロープ２０は、竿３０の備えるガイド４１を通される。
【００３６】
また、図４Ａ，４Ｂに示すように、竿３０の先端を上部の幅が下部よりも広いＵ字型又はＹ字型に加工してもよい。Ｕ字部３１は、フック１０を木に引っ掛けるときにフック１０を支えるものであるが、例えば、フック１０を引っ掛ける位置を間違えたときに、フック１０を木から外すために利用できる。竿３０の先端をＵ字型又はＹ字型とすることで、収納筒４０に収納されたフック１０の回転を抑え、フック１０を竿３０から外すときに邪魔にならない。
【００３７】
第２の実施形態の伐倒方向制御器具１も、フック１０を収納筒４０に差し込み、竿３０を操作してフック１０を木に引っ掛けた後、竿３０からフック１０を外してロープ２０を引っ張る。ロープ２０を引っ張るとき、フック１０の備えるロック機構により、木をしっかりと保持できる。
【００３８】
図４Ａに示すように、ロープ２０を緩めた状態では、止め金具１１は、自重により、開いた状態となる。フック１０を木に引っ掛けるときは、ロープ２０を緩めて止め金具１１を開いた状態とする。
【００３９】
図４Ｂに示すように、ロープ２０を引っ張った状態では、止め金具１１の先端がフック１０の湾曲部のほうへ移動し、閉じた状態となる。
【００４０】
図５は、第２の実施形態のフック１０の変形例の構成を示す概略図である。
【００４１】
図５の止め金具１１は、フック１０側を波型に加工している。この加工により、止め金具１１を閉じたときに木をしっかりと保持できる。波型の形状を、ロープ２０を引っ張ったときに木に引っ掛かるようなのこぎり型としてもよい。あるいは、フック１０の内側を波型に加工してもよい。止め金具１１およびフック１０の少なくとも一部を波型に加工してもよい。
【００４２】
以上説明したように、本実施の形態によれば、伐倒方向制御器具１が、ロープ２０を取り付けたフック１０と、フック１０を着脱可能に収納できる収納筒４０を有する竿３０とを備えることにより、伐採対象の木にロープ２０を容易に引っ掛けることができるので、伐採した木や枝の伐倒方向を制御可能となる。
【００４３】
本実施の形態によれば、フック１０が、回転可能に取り付けられた止め金具１１を有し、ロープ２０が止め金具１１の後端に取り付けられることで、ロープ２０を引っ張ったときに、止め金具１１がフック１０の湾曲部の方向へ回転し、伐採する木や枝をより確実に保持できる。フック１０の湾曲部の内側および止め金具１１のフック１０側の少なくとも一部を波型にすることで、木や枝をしっかりと保持できる。
【００４４】
本実施の形態によれば、竿３０の先端部にロープ２０を保持するガイド４１を備えることにより、フック１０の落下を防止できる。
【符号の説明】
【００４５】
１…伐倒方向制御器具
１０…フック
１１…止め金具
１２…支点
１３…ガイド
２０…ロープ
３０…竿
３１…Ｕ字部
４０…収納筒
４１…ガイド
【図１】
2019176763.tif 000003
【図２Ａ】
2019176763.tif 000004
【図２Ｂ】
2019176763.tif 000005
【図３】
2019176763.tif 000006
【図４Ａ】
2019176763.tif 000007
【図４Ｂ】
2019176763.tif 000008
【図５】
2019176763.tif 000009
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
伐採対象の木にロープを取り付けるための伐倒方向制御器具であって、
先端が曲げられた湾曲部を有するフックと、
前記フックに取り付けられたロープと、
前記フックを着脱可能に取り付ける取付部を有する竿と、を備え、
前記フックは、回転可能に取り付けられた止め金具を有し、前記フックの湾曲部の内側および前記止め金具のフック側の少なくとも一部が波型であり、
前記ロープは前記止め金具に取り付けられ、前記ロープを引っ張ったときに、前記止め金具が前記フックの湾曲部の方向へ回転する
ことを特徴とする伐倒方向制御器具。
【請求項２】
前記竿は、前記ロープを保持するガイドを有することを特徴とする請求項１に記載の伐倒方向制御器具。
【手続補正２】
【補正対象書類名】明細書
【補正対象項目名】０００８
【補正方法】変更
【補正の内容】
【０００８】
本発明に係る伐倒方向制御器具は、伐採対象の木にロープを取り付けるための伐倒方向制御器具であって、先端が曲げられた湾曲部を有するフックと、前記フックに取り付けられたロープと、前記フックを着脱可能に取り付ける取付部を有する竿と、を備え、前記フックは、回転可能に取り付けられた止め金具を有し、前記フックの湾曲部の内側および前記止め金具のフック側の少なくとも一部が波型であり、前記ロープは前記止め金具に取り付けられ、前記ロープを引っ張ったときに、前記止め金具が前記フックの湾曲部の方向へ回転することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】